(57)【要約】【課題】投光器と受光器とで構成される２段以上の赤外線ビームを有した赤外線式検知装置において、雑草などが生い茂ってくると１段のビームが長時間遮断され、検知状態が続き、除草作業するまで警戒できなくなる。【解決手段】警戒区間を人が走り抜けることに対応した全段ビームにおける短時間の遮断と、警戒区間を人が這って通り抜けることに対応した１段ビームにおける長時間の遮断の２種類を侵入者検知信号として出力する検知出力Ａと、警戒区間を人が走り抜けることに対応した全段ビームにおける短時間の遮断のみを侵入者検知信号として出力する検知出力Ｂの２つの検知出力を備える。【選択図】図２
2012048481.tif 000002
【特許請求の範囲】
【請求項１】
投光器と受光器とで構成される２段以上の赤外線ビームを有した赤外線式検知装置であって、警戒区間を人が走り抜けることに対応した全段ビームにおける短時間の遮断と、警戒区間を人が這って通り抜けることに対応した１段ビームにおける長時間の遮断の２種類を侵入者検知信号として出力する検知出力Ａと、警戒区間を人が走り抜けることに対応した全段ビームにおける短時間の遮断のみを侵入者検知信号として出力する検知出力Ｂの２つの検知出力を備えた赤外線式検知装置。
【請求項２】
投光器と受光器とで構成される２段以上の赤外線ビームを有した赤外線式検知装置であって、１つの検知出力を、警戒区間を人が走り抜けることに対応した全段ビームにおける短時間の遮断と、警戒区間を人が這って通り抜けることに対応した１段ビームにおける長時間の遮断の２種類を侵入者検知信号として出力する検知出力Ａと、警戒区間を人が走り抜けることに対応した全段ビームにおける短時間の遮断のみを侵入者検知信号として出力する検知出力Ｂに切り替えることができる制御入力を備えた赤外線式検知装置。
【発明の詳細な説明】
【技術分野】
【０００１】
本発明は、投光器と受光器とで構成される赤外線式検知装置に関するものである。
【背景技術】
【０００２】
従来、屋外での侵入者を検知する防犯システムにおいて、投光手段を有する投光器と、受光手段を有する受光器とを警戒区間を隔てて対向して設置する赤外線式検知装置がよく使用されている。警戒区間を通過する人間（侵入者）が、投光器から発せられている赤外線ビームを遮断することにより、受光器側でこの状態を検出して侵入者検知信号を出力する。小動物（犬、猫、鳥など）や落ち葉などによる赤外線ビームの遮断で侵入者検知信号を出力しないように赤外線ビームを２段以上に設け、同時遮断しなければ侵入者検知信号を出力しない方式がとられている。
【０００３】
しかし、防犯システムについて知識のある人なら、警戒区間を這って通り抜けることで、多段ビーム式の赤外線式検知装置の少なくとも１段の赤外線ビームが遮断されない状態にし、侵入者検知信号を出力せずに突破することが可能であると認識されている。その対策として、１段ビームでも遮断すれば検知出力する機能も盛り込まれた赤外線式検知装置が開発されている。この場合、小動物などによる侵入者検知信号の出力を避けるために、１段ビームの検知に必要な遮断時間は、長く設定してある。また、走り抜けなどを想定し、全段ビームの検知に必要な遮断時間は、短く設定し、防犯性能を向上させている。
【発明の開示】
【発明が解決しようとする課題】
【０００４】
しかし、前記赤外線式検知装置では、図１に示すように、警戒区間内の雑草３などが生い茂ってくると、１段の赤外線ビームが長時間遮断され、侵入者検知信号を出力し続け、除草作業するまで警戒できなくなってしまう。
【課題を解決するための手段】
【０００５】
上記課題を解決するため、２段以上の赤外線ビームを有した赤外線式検知装置において、請求項１記載の発明は、警戒区間を人が走り抜けることに対応した全段ビームにおける短時間の遮断と、警戒区間を人が這って通り抜けることに対応した１段ビームにおける長時間の遮断の２種類を侵入者検知信号として出力する検知出力Ａと、警戒区間を人が走り抜けることに対応した全段ビームにおける短時間の遮断のみを侵入者検知信号として出力する検知出力Ｂの２つの検知出力を備えたことを特徴としている。
【０００６】
請求項２記載の発明は、１つの検知出力を、警戒区間を人が走り抜けることに対応した全段ビームにおける短時間の遮断と、警戒区間を人が這って通り抜けることに対応した１段ビームにおける長時間の遮断の２種類を侵入者検知信号として出力する検知出力Ａと、警戒区間を人が走り抜けることに対応した全段ビームにおける短時間の遮断のみを侵入者検知信号として出力する検知出力Ｂに切り替えることができる制御入力を備えたことを特徴としている。
【発明の効果】
【０００７】
本発明では、警戒区間内の雑草などが生い茂ることなどで、１段の赤外線ビームが長時間遮断された場合、前記検知出力Ｂを使用することにより、除草作業を終了するまでの間でも、警戒を続行することが可能となる。
また、侵入者を検知する防犯システムにおいて、警戒区間を這って通り抜けることなどの１段ビームの遮断で侵入者を検知できるハイセキュリティ向けから、走り抜けることなどの全段ビームの遮断で侵入者を検知する汎用システムまで、セキュリティレベルを状況に応じて設定できる。
【図面の簡単な説明】
【０００８】
【図１】本発明の解決しようとする課題の状態を示した図である。
【図２】本発明の第１の実施形態の構成を示したブロック図である。
【図３】本発明の第２の実施形態の構成を示したブロック図である。
【発明を実施するための形態】
【０００９】
図２は、本発明の第１の実施形態の構成を示したブロック図である。赤外線式検知装置は、投光器１と受光器２で構成され、投光器１から受光器２へ、２段の赤外線ビームを発し、警戒区間を構成している。受光器２には、２つの検知出力を備えており、４は、警戒区間を人が走り抜けることに対応した全段ビームにおける短時間の遮断と、警戒区間を人が這って通り抜けることに対応した１段ビームにおける長時間の遮断の２種類を侵入者検知信号として出力する検知出力Ａであり、５は、警戒区間を人が走り抜けることに対応した全段ビームにおける短時間の遮断のみを侵入者検知信号として出力する検知出力Ｂである。
赤外線式検知装置の外部に設けた検知出力選択用スイッチ６により、必要な検知出力を選択し、受信装置へ侵入者検知信号を入力する。
【００１０】
図３は、本発明の第２の実施形態の構成を示したブロック図である。赤外線式検知装置は、投光器１と受光器２で構成され、投光器１から受光器２へ、２段の赤外線ビームを発し、警戒区間を構成している。受光器２には、１つの検知出力７を備えており、検知出力７は、赤外線式検知装置の外部に設けた検知出力選択用スイッチ６の状態により、検知出力制御部８を介して、警戒区間を人が走り抜けることに対応した全段ビームにおける短時間の遮断と、警戒区間を人が這って通り抜けることに対応した１段ビームにおける長時間の遮断の２種類を侵入者検知信号として出力する検知出力Ａと、警戒区間を人が走り抜けることに対応した全段ビームにおける短時間の遮断のみを侵入者検知信号として出力する検知出力Ｂに切り替えることができる。検知出力選択用スイッチ６により、必要な検知出力を選択し、受信装置へ侵入者検知信号を入力する。
【００１１】
第１の実施形態、第２の実施形態ともに、通常は、検知出力選択用スイッチ６により、検知出力Ａを選択し、警戒区間内の雑草などが生い茂ることなどで、１段の赤外線ビームが長時間遮断された場合、検知出力Ｂを使用することにより、除草作業を終了するまでの間でも、警戒を続行することが可能となる。
【符号の説明】
【００１２】
１・・・投光器
２・・・受光器
３・・・雑草
４・・・検知出力Ａ
５・・・検知出力Ｂ
６・・・検知出力選択用スイッチ
７・・・検知出力
８・・・検知出力制御部
【図１】
2012048481.tif 000003
【図２】
2012048481.tif 000004
【図３】
2012048481.tif 000005